(57)【要約】【課題】案内希望者情報に対して外出予定を考慮した通知案内を送信する。【解決手段】観光体験に関する通知案内を案内希望者に送信する通知案内サーバ４と、前記観光体験の案内条件及び案内先付加情報と、前記案内希望者の案内希望者情報と、前記案内希望者の外出情報を保持する案内希望者情報保有サーバ３と、を備える通知案内システムであって、前記通知案内サーバ４は、前記案内希望者情報保有サーバ３に前記通知案内の送信対象となる前記案内希望者を含む通知案内対象情報一覧を要求し、前記案内希望者情報保有サーバ３は、前記案内条件及び前記外出情報の条件を満たす前記案内希望者を含む前記通知案内対象情報一覧を前記通知案内サーバ４に送信し、前記通知案内サーバ４は、前記通知案内対象情報一覧に含まれる前記案内希望者に前記案内先付加情報を含む前記通知案内を送信する、通知案内システム。【選択図】図１
2014134952.tif 000002
【特許請求の範囲】
【請求項１】
観光体験に関する通知案内を案内希望者に送信する通知案内サーバと、
前記観光体験の案内条件及び案内先付加情報と、前記案内希望者の案内希望者情報と、前記案内希望者の外出情報を保持する案内希望者情報保有サーバと、を備える通知案内システムであって、
前記通知案内サーバは、前記案内希望者情報保有サーバに前記通知案内の送信対象となる前記案内希望者を含む通知案内対象情報一覧を要求し、
前記案内希望者情報保有サーバは、前記案内条件及び前記外出情報の条件を満たす前記案内希望者を含む前記通知案内対象情報一覧を前記通知案内サーバに送信し、
前記通知案内サーバは、前記通知案内対象情報一覧に含まれる前記案内希望者に少なくとも前記案内先付加情報の一部を含む前記通知案内を送信する、通知案内システム。
【請求項２】
前記通知案内サーバにおける前記案内希望者のＩＤと、前記案内希望者情報保有サーバにおける前記案内希望者のＩＤとを管理するＩＤ変換サーバを備え、
前記通知案内サーバは、前記ＩＤ変換サーバにより、前記通知案内対象情報一覧に含まれる前記案内希望者のＩＤを自サーバにおけるＩＤに変換する、請求項１に記載の通知案内システム。
【請求項３】
前記案内希望者情報保有サーバは、前記案内条件及び前記外出情報の条件を満たす前記案内希望者のＩＤを前記ＩＤ変換サーバに送信し、
前記ＩＤ変換サーバは、前記案内希望者情報保有サーバに対してＩＤ変換受付ＩＤを送信し、
前記案内希望者情報保有サーバは、前記通知案内対象情報一覧を前記通知案内サーバに送信する際、前記ＩＤ変換受付ＩＤを前記通知案内サーバに送信し、
前記通知案内サーバは、前記ＩＤ変換サーバに前記ＩＤ変換受付ＩＤを送信することにより、前記通知案内対象情報一覧に含まれる前記案内希望者のＩＤを自サーバにおけるＩＤに変換する、請求項２に記載の通知案内システム。
【請求項４】
観光体験に関する通知案内を案内希望者に送信する通知案内サーバと、
前記観光体験の案内条件及び案内先付加情報と、前記案内希望者の案内希望者情報と、前記案内希望者の外出情報を保持する案内希望者情報保有サーバと、を備える通知案内システムにおける通知案内方法であって、
前記通知案内サーバが、前記案内希望者情報保有サーバに前記通知案内の送信対象となる前記案内希望者を含む通知案内対象情報一覧を要求するステップと、
前記案内希望者情報保有サーバが、前記案内条件及び前記外出情報の条件を満たす前記案内希望者を含む前記通知案内対象情報一覧を前記通知案内サーバに送信する送信ステップと、
前記通知案内サーバが、前記通知案内対象情報一覧に含まれる前記案内希望者に少なくとも前記案内先付加情報の一部を含む前記通知案内を送信するステップとを含む、通知案内方法。
【請求項５】
前記通知案内システムは、前記通知案内サーバにおける前記案内希望者のＩＤと、前記案内希望者情報保有サーバにおける前記案内希望者のＩＤとを管理するＩＤ変換サーバを備え、
前記通知案内サーバが、前記ＩＤ変換サーバにより、前記通知案内対象情報一覧に含まれる前記案内希望者のＩＤを自サーバにおけるＩＤに変換する変換ステップをさらに含む、請求項４に記載の通知案内方法。
【請求項６】
前記案内希望者情報保有サーバが、前記案内条件及び前記外出情報の条件を満たす前記案内希望者のＩＤを前記ＩＤ変換サーバに送信するステップと、
前記ＩＤ変換サーバが、前記案内希望者情報保有サーバに対してＩＤ変換受付ＩＤを送信するステップと、
前記案内希望者情報保有サーバが、前記送信ステップにおいて、前記通知案内対象情報一覧を前記通知案内サーバに送信する際、前記ＩＤ変換受付ＩＤを前記通知案内サーバに送信し、
前記通知案内サーバが、前記変換ステップにおいて、前記ＩＤ変換サーバに前記ＩＤ変換受付ＩＤを送信することにより、前記通知案内対象情報一覧に含まれる前記案内希望者のＩＤを自サーバにおけるＩＤに変換する、請求項５に記載の通知案内方法。
【発明の詳細な説明】
【技術分野】
【０００１】
この発明は、通知案内システム及び通知案内方法に関する。
【背景技術】
【０００２】
ユーザが旅行の計画を立てる場合、効率よく多数の観光地を訪れることを可能とするために、目的地周辺の観光情報のほか、経路を決定させるための情報および経路周辺の観光情報も併せて提供する仕組みが提供されてきた（例えば特許文献１参照）。
【０００３】
特許文献１では、ユーザが、出発地、乗り換え地点、目的地、さらには、滞留時間を入力することで、運行経路および時刻表情報を表示させることや、目的地周辺の観光情報および経路周辺の観光情報を提供している。
【先行技術文献】
【特許文献】
【０００４】
【特許文献１】特開２００２−０９２１０２号公報
【発明の概要】
【発明が解決しようとする課題】
【０００５】
従来の技術では、情報提供者を情報提供機関、ユーザを情報案内希望者とすると、情報案内希望者は、予め、情報を取得するための出発地、乗り換え地点、目的地、滞留時間等を入力することで、目的地周辺および経路周辺の観光情報（名所・名店までの地図情報、観光に要する時間情報、観光地付近に位置する店舗の広告情報、割引情報）を提供していたが、目的地および経路周辺の情報に対して、情報案内希望者の属性および意図によっては、情報の絞り込みに時間的な制約が発生していた。また、案内希望者が取得する場所と関連付けた情報の通知にあたっては、その都度、案内希望者の入力による情報の提供が必要であったため、一度に複数地域の情報提供ができなかった。
【０００６】
したがって、かかる点に鑑みてなされた本発明の目的は、案内希望者の情報を一元管理することなく、案内希望者情報に対して外出予定を考慮した通知案内を送信可能な通知案内システム及び通知案内方法を提供することである。
【課題を解決するための手段】
【０００７】
上述した諸課題を解決すべく、本発明に係る通知案内システムは、観光体験に関する通知案内を案内希望者に送信する通知案内サーバと、前記観光体験の案内条件及び案内先付加情報と、前記案内希望者の案内希望者情報と、前記案内希望者の外出情報を保持する案内希望者情報保有サーバと、を備える通知案内システムであって、前記通知案内サーバは、前記案内希望者情報保有サーバに前記通知案内の送信対象となる前記案内希望者を含む通知案内対象情報一覧を要求し、前記案内希望者情報保有サーバは、前記案内条件及び前記外出情報の条件を満たす前記案内希望者を含む前記通知案内対象情報一覧を前記通知案内サーバに送信し、前記通知案内サーバは、前記通知案内対象情報一覧に含まれる前記案内希望者に少なくとも前記案内先付加情報の一部を含む前記通知案内を送信する。
【０００８】
また、前記通知案内サーバにおける前記案内希望者のＩＤと、前記案内希望者情報保有サーバにおける前記案内希望者のＩＤとを管理するＩＤ変換サーバを備え、前記通知案内サーバは、前記ＩＤ変換サーバにより、前記通知案内対象情報一覧に含まれる前記案内希望者のＩＤを自サーバにおけるＩＤに変換する、ことが好ましい。
【０００９】
また、前記案内希望者情報保有サーバは、前記案内条件及び前記外出情報の条件を満たす前記案内希望者のＩＤを前記ＩＤ変換サーバに送信し、前記ＩＤ変換サーバは、前記案内希望者情報保有サーバに対してＩＤ変換受付ＩＤを送信し、前記案内希望者情報保有サーバは、前記通知案内対象情報一覧を前記通知案内サーバに送信する際、前記ＩＤ変換受付ＩＤを前記通知案内サーバに送信し、前記通知案内サーバは、前記ＩＤ変換サーバに前記ＩＤ変換受付ＩＤを送信することにより、前記通知案内対象情報一覧に含まれる前記案内希望者のＩＤを自サーバにおけるＩＤに変換する、ことが好ましい。
【００１０】
さらに、本発明に係る通知案内方法は、観光体験に関する通知案内を案内希望者に送信する通知案内サーバと、前記観光体験の案内条件及び案内先付加情報と、前記案内希望者の案内希望者情報と、前記案内希望者の外出情報を保持する案内希望者情報保有サーバと、を備える通知案内システムにおける通知案内方法であって、前記通知案内サーバが、前記案内希望者情報保有サーバに前記通知案内の送信対象となる前記案内希望者を含む通知案内対象情報一覧を要求するステップと、前記案内希望者情報保有サーバが、前記案内条件及び前記外出情報の条件を満たす前記案内希望者を含む前記通知案内対象情報一覧を前記通知案内サーバに送信する送信ステップと、前記通知案内サーバが、前記通知案内対象情報一覧に含まれる前記案内希望者に少なくとも前記案内先付加情報の一部を含む前記通知案内を送信するステップとを含む。
【００１１】
また、前記通知案内システムは、前記通知案内サーバにおける前記案内希望者のＩＤと、前記案内希望者情報保有サーバにおける前記案内希望者のＩＤとを管理するＩＤ変換サーバを備え、前記通知案内サーバが、前記ＩＤ変換サーバにより、前記通知案内対象情報一覧に含まれる前記案内希望者のＩＤを自サーバにおけるＩＤに変換する変換ステップをさらに含む、ことが好ましい。
【００１２】
前記案内希望者情報保有サーバが、前記案内条件及び前記外出情報の条件を満たす前記案内希望者のＩＤを前記ＩＤ変換サーバに送信するステップと、前記ＩＤ変換サーバが、前記案内希望者情報保有サーバに対してＩＤ変換受付ＩＤを送信するステップと、前記案内希望者情報保有サーバが、前記送信ステップにおいて、前記通知案内対象情報一覧を前記通知案内サーバに送信する際、前記ＩＤ変換受付ＩＤを前記通知案内サーバに送信し、前記通知案内サーバが、前記変換ステップにおいて、前記ＩＤ変換サーバに前記ＩＤ変換受付ＩＤを送信することにより、前記通知案内対象情報一覧に含まれる前記案内希望者のＩＤを自サーバにおけるＩＤに変換する、ことが好ましい。
【発明の効果】
【００１３】
本発明に係る通知案内システム及び通知案内方法によれば、案内希望者の情報を一元管理することなく、案内希望者情報に対して外出予定を考慮した通知案内を送信することが可能となる。
【図面の簡単な説明】
【００１４】
【図１】本発明の一実施形態にかかる通知案内システムの構成を示す図である。
【図２】案内条件テーブルの一例を示す図である。
【図３】案内先付加情報テーブルの一例を示す図である。
【図４】案内希望者情報テーブルの一例を示す図である。
【図５】案内対象抽出許可情報テーブルの一例を示す図である。
【図６】案内条件テーブルの一例を示す図である。
【図７】案内先付加情報テーブルの一例を示す図である。
【図８】外出情報テーブルの一例を示す図である。
【図９】対象区分変換テーブルの一例を示す図である。
【図１０】案内条件テーブルの一例を示す図である。
【図１１】案内先付加情報テーブルの一例を示す図である。
【図１２】通知案内対象者情報テーブルの一例を示す図である。
【図１３】通知案内情報テーブルの一例を示す図である。
【図１４】ＩＤ変換受付テーブルの一例を示す図である。
【図１５】ＩＤ変換テーブルの一例を示す図である。
【図１６】サーバＩＤ対応テーブルの一例を示す図である。
【図１７】通知案内システムの処理シーケンスである。
【図１８】通知案内システムの処理シーケンスである。
【発明を実施するための形態】
【００１５】
以降、諸図面を参照しながら、本発明の実施態様を詳細に説明する。
【００１６】
図１は、本発明の一実施形態にかかる通知案内システムの構成を示す図である。通知案内システムは、案内希望者端末１１と、管理端末１２と、観光体験案内提供サーバ２と、案内希望者情報保有サーバ３と、通知案内サーバ４と、ＩＤ変換サーバ５とを備え、案内希望者端末１１及び各サーバ（２〜５）は、ネットワークに接続され相互に通信可能である。また、管理端末１２は、案内希望者情報保有サーバ３に接続されている。なお、各端末（１１、１２）及び各サーバ（２〜５）の数は１台に限られず、複数台とすることも可能である。
【００１７】
案内希望者端末１１は、案内希望者の操作により、観光体験の案内条件および案内先付加情報の通知案内の受取または取り消しをするために案内希望者情報保有サーバ３および通知案内サーバ４にアクセスするための機能を持つ。案内希望者端末１１は、例えばパソコン、携帯電話、スマートフォン（ＮＦＣ機能含む）、タブレット端末など、メールの送受信や、動画・画像の取り込みが可能な端末を含むものである。
【００１８】
管理端末１２は、管理者などの操作により、案内希望者に関する情報を案内希望者情報保有サーバ３に登録する機能を持つ。
【００１９】
観光体験案内提供サーバ２は、案内条件テーブル２１と、案内先付加情報テーブル２２と、制御部２３と、通信部２４とを備え、制御部２３は、案内条件／案内先付加情報要求部２３１と、案内条件／案内先付加情報抽出部２３２と、案内条件／案内先付加情報送信部２３３とを備える。
【００２０】
図２は、案内条件テーブル２１の一例を示す図である。案内条件テーブル２１には、通知案内サーバ４を介して、案内希望者に通知案内するための案内条件（観光体験案内提供サーバ２のサーバＩＤ、案内希望ＩＤ、案内先ＩＤ、案内先情報、案内先所在地、受信区分、受信条件、対象範囲）が保管される。
【００２１】
図３は、案内先付加情報テーブル２２の一例を示す図である。案内先付加情報テーブル２２には、通知案内対象の情報である案内先付加情報（観光体験案内提供サーバ２のサーバＩＤ、案内希望ＩＤ、案内先情報、付加情報、交通機関ルート情報、位置情報［緯度・経度］、動画画像情報）が保管されている。
【００２２】
案内条件／案内先付加情報要求部２３１は、案内情報として、観光体験の案内条件および案内先付加情報（位置情報含む）を観光体験案内提供サーバ２から取得する機能を持つ。
【００２３】
案内条件／案内先付加情報抽出部２３２は、案内希望者が受信する観光体験に関する案内条件および案内先付加情報を案内条件テーブル２１および案内先付加情報テーブル２２から抽出する機能を持つ。
【００２４】
案内条件／案内先付加情報送信部２３３は、通知案内サーバ４および案内希望者情報保有サーバ３からの要求に対して、観光体験の案内条件および案内先付加情報を送信する機能を持つ。
【００２５】
通信部２４は、ネットワークを通じて通信を行う機能を持つ。
【００２６】
案内希望者情報保有サーバ３は、案内希望者情報テーブル３１と、案内対象抽出許可情報テーブル３２と、案内条件テーブル３３と、案内先付加情報テーブル３４と、外出情報テーブル３５と、対象区分変換テーブル３６と、制御部３７と、通信部３８とを備え、制御部３７は、案内希望者情報取得部３７１と、案内対象抽出許可情報取得部３７２と、案内条件／案内先付加情報要求部３７３と、通知案内対象情報抽出部３７４と、ＩＤ変換要求部３７５と、通知案内対象条件一致案内希望者一覧送信部３７６とを備える。
【００２７】
図４は、案内希望者情報テーブル３１の一例を示す図である。案内希望者情報テーブル３１には、管理端末１２から入力された観光体験情報の通知案内を希望する案内希望者の案内希望者ＩＤ、氏名、性別、年齢、住所、案内ＩＤ１〜４、案内区分１〜４が登録される。（案内ＩＤ１〜４および案内区分１〜４の例は、行政機関や公共機関、サービス提供機関の分類表による。）
【００２８】
図５は、案内対象抽出許可情報テーブル３２の一例を示す図である。案内対象抽出許可情報テーブル３２には、案内希望者端末１１から登録された案内希望者の案内希望者ＩＤ、属性項目（氏名、性別、年齢、住所、案内ＩＤ１〜４、スケジュール）、処理許可フラグ（有、無）が保管されている。
【００２９】
図６は、案内条件テーブル３３の一例を示す図である。案内条件テーブル３３には、観光体験案内提供サーバ２から取得した案内条件（観光体験案内提供サーバ２のサーバＩＤ、案内希望ＩＤ、案内先ＩＤ、案内先情報、案内先所在地、受信区分、受信条件、対象範囲）が保管される。
【００３０】
図７は、案内先付加情報テーブル３４の一例を示す図である。案内先付加情報テーブル３４には、通知案内対象となる情報である案内先付加情報（観光体験案内提供サーバ２のサーバＩＤ、案内希望ＩＤ、案内先情報、付加情報、交通機関ルート情報、位置情報［緯度・経度］、動画画像情報）が保管される。
【００３１】
図８は、外出情報テーブル３５の一例を示す図である。外出情報テーブル３５には、案内希望者の外出予定（案内希望者ＩＤ、外出年月日［出発予定］、外出年月日［帰着予定］、外出先）が保管される。
【００３２】
図９は、対象区分変換テーブル３６の一例を示す図である。対象区分変換テーブル３６には、通知案内対象情報抽出部３７４により、案内対象抽出許可情報テーブル３２と案内希望者情報テーブル３１、案内先付加情報テーブル３４、外出情報テーブル３５の内容が参照・抽出され、通知案内サーバ４が、観光体験の案内条件と一致する通知案内対象者を検索するための一覧（案内希望者ＩＤ、案内先ＩＤ、実施可否）が保管される。
【００３３】
案内希望者情報取得部３７１は、管理端末１２から入力した案内希望者（観光体験を行おうとする者）の情報（案内希望者ＩＤ、氏名、性別、年齢、住所、案内ＩＤ、案内区分、スケジュールなどの属性情報）を案内希望者情報テーブル３１に登録する機能を持つ。
【００３４】
案内対象抽出許可情報取得部３７２は、案内希望者端末１１より、観光体験に関する通知案内情報の抽出処理に必要となる属性情報の使用可否を案内対象抽出許可情報テーブル３２に登録する機能を持つ。
【００３５】
案内条件／案内先付加情報要求部３７３は、案内条件および案内先付加情報を観光体験案内提供サーバ２から取得する機能を持つ。
【００３６】
通知案内対象情報抽出部３７４は、通知案内サーバ４からの通知案内対象条件に一致する案内希望者情報一覧と、案内可能な対象者の変換後ＩＤ情報を提供するために、案内希望者情報テーブル３１、案内対象抽出許可情報テーブル３２および外出情報テーブル３５の情報と、観光体験案内提供サーバ２から取得した案内条件を抽出する機能を持つ。
【００３７】
ＩＤ変換要求部３７５は、通知案内サーバ４からの通知案内対象情報一覧要求に対して、通知案内対象情報（案内希望者ＩＤ、案内先ＩＤ、実施可否）とＩＤ変換のためにＩＤ変換サーバ５から取得したＩＤ変換受付ＩＤを通知案内サーバ４に送信する機能を持つ。
【００３８】
通知案内対象条件一致案内希望者一覧送信部３７６は、通知案内サーバ４からの通知案内対象条件抽出要求に対して、案内希望者情報テーブル３１および案内対象抽出許可情報テーブル３２の情報と、観光体験案内提供サーバ２から取得した案内条件を参照・比較し、通知案内対象条件を抽出し、通知案内対象情報の内容（案内希望者ＩＤ、案内先ＩＤ、実施可否）を対象区分変換テーブル３６に格納する機能を持つ。
【００３９】
通信部３８は、ネットワークを通じて通信を行う機能を持つ。
【００４０】
通知案内サーバ４は、案内条件テーブル４１と、案内先付加情報テーブル４２と、通知案内条件対象者一覧ファイル４３と、通知案内対象者情報テーブル４４と、通知案内情報テーブル４５と、制御部４６と、通信部４７とを備え、制御部４６は、案内条件／案内先付加情報要求部４６１と、通知案内対象情報一覧要求部４６２と、変換後ＩＤ要求部４６３と、通知案内情報生成部４６４と、通知案内情報送信部４６５と、通知案内返信受取部４６６とを備える。
【００４１】
図１０は、案内条件テーブル４１の一例を示す図である。案内条件テーブル４１には、通知案内サーバ４から案内希望者に通知案内するための案内条件（観光体験案内提供サーバ２のサーバＩＤ、案内希望ＩＤ、案内先ＩＤ、案内先情報、案内先所在地、受信区分、受信条件、対象範囲）が保管される。
【００４２】
図１１は、案内先付加情報テーブル４２の一例を示す図である。案内先付加情報テーブル４２には、通知案内対象の情報（観光体験案内提供サーバ２のサーバＩＤ、案内希望ＩＤ、案内先情報、付加情報、交通機関ルート情報、位置情報［緯度・経度］、画像情報）が保管されている。
【００４３】
通知案内条件対象者一覧ファイル４３には、案内希望者情報保有サーバ３から受け取った通知案内対象条件を満たす案内希望者情報一覧が保管される。
【００４４】
図１２は、通知案内対象者情報テーブル４４の一例を示す図である。通知案内対象者情報テーブル４４には、案内希望者へ通知案内するための情報（案内対象者ＩＤ、通知案内用メールアドレス）が保管される。
【００４５】
図１３は、通知案内情報テーブル４５の一例を示す図である。図１３（ａ）は、更新前の通知案内情報テーブル４５であり、通知案内する観光体験の提供元情報（案内希望者ＩＤ、サーバＩＤ、案内先ＩＤ、日時、通知状況、実施通知フラグ）が保管されている。図１３（ｂ）は、更新後の通知案内情報テーブル４５であり、案内希望者への通知を行った後に、「通知状況」が「済」となり、また、案内希望者から、通知不要の連絡を受取った場合は、「通知状況」が「不要」へと更新される。
【００４６】
案内条件／案内先付加情報要求部４６１は、案内希望者が受信する観光体験に関する案内条件および案内先付加情報を観光体験案内提供サーバ２から取得する機能を持つ。
【００４７】
通知案内対象情報一覧要求部４６２は、案内希望者が希望する観光体験に関する案内条件の通知案内対象条件に一致する通知案内希望対象情報一覧などを要求する機能を持つ。
【００４８】
変換後ＩＤ要求部４６３は、案内希望者情報保有サーバ３から通知案内対象条件を満たす案内希望者情報一覧を受取り、通知案内条件対象者一覧ファイル４３に保管し、さらに、ＩＤ変換サーバ５に対して、案内希望者情報保有サーバ３から受信したＩＤ変換受付ＩＤを送信して変換後ＩＤを要求する。また、変換後ＩＤ要求部４６３は、通知案内情報テーブル４５に、案内希望者ＩＤ、観光体験案内提供サーバ２のサーバＩＤ、案内先ＩＤ、日時、通知状況、実施通知フラグを登録する機能を持つ。
【００４９】
通知案内情報生成部４６４は、通知案内情報テーブル４５に登録された案内希望者の通知案内用メールアドレスを通知案内対象者情報テーブル４４から取得する。また、通知案内情報テーブル４５に登録された観光体験案内提供サーバ２のサーバＩＤおよび、案内先ＩＤより、案内条件テーブル４１および案内先付加情報テーブル４２を検索し、観光体験の案内条件および案内先付加情報を取得し、通知案内情報を生成する機能を持つ。
【００５０】
通知案内情報送信部４６５は、生成した通知案内情報を案内希望者に観光体験通知案内メッセージとして通知案内用メールアドレスへメール等で送信する。また、通知案内情報送信部４６５は、通知案内後に、案内希望者端末１１から、再通知不要との返信を受信した場合は、当該情報についての通知案内を行わない機能を持つ。
【００５１】
通知案内返信受取部４６６は、案内希望者端末１１に通知案内後、再通知不要との返信を受信した場合、当該案内情報について、通知案内を行わないための通知フラグ（再通知不要）を書き込む機能を持つ。
【００５２】
通信部４７は、ネットワークを通じて通信を行う機能を持つ。
【００５３】
ＩＤ変換サーバ５は、ＩＤ変換受付テーブル５１と、ＩＤ変換テーブル５２と、サーバＩＤ対応テーブル５３と、制御部５４と、通信部５５とを備え、制御部５４は、ＩＤ変換要求受付部５４１と、ＩＤ変換部５４２と、変換後ＩＤ一覧送信部５４３とを備える。
【００５４】
図１４は、ＩＤ変換受付テーブル５１の一例を示す図である。ＩＤ変換受付テーブル５１には、案内希望者情報保有サーバ３からの要求に応じて、返信するＩＤ変換受付情報（ＩＤ変換受付ＩＤ、案内希望者情報保有サーバ３のサーバＩＤ、変換前ＩＤ）が保管される。
【００５５】
図１５は、ＩＤ変換テーブル５２の一例を示す図である。ＩＤ変換テーブル５２には、変換前ＩＤに対応する通知案内サーバ４が管理する案内希望者ＩＤに変換するために必要となるＩＤ変換情報（変換後ＩＤ、案内希望者ＩＤ１、案内希望者ＩＤ２、案内希望者ＩＤ３）が保管される。
【００５６】
図１６は、サーバＩＤ対応テーブル５３の一例を示す図である。サーバＩＤ対応テーブル５３には、サーバＩＤ対応情報（サーバＩＤ、案内希望者ＩＤ）が保管される。
【００５７】
ＩＤ変換要求受付部５４１は、案内希望者情報保有サーバ３からのＩＤ変換の要求により、ＩＤ変換受付ＩＤを生成する機能を持つ。また、ＩＤ変換要求のあった案内希望者情報保有サーバ３のサーバＩＤと、案内希望者情報保有サーバ３から受取った変換前ＩＤをＩＤ変換受付テーブル５１に登録する機能を持つ。
【００５８】
ＩＤ変換部５４２は、通知案内サーバ４から受取ったＩＤ変換前ＩＤを基に、一致する案内希望者情報保有サーバ３のサーバＩＤと、変換前ＩＤを抽出する機能を持つ。また、取得した案内希望者情報保有サーバ３のサーバＩＤと、変換前ＩＤを基に、案内希望者ＩＤに変換する機能を持つ。
【００５９】
変換後ＩＤ一覧送信部５４３は、通知案内サーバ４からの変換後ＩＤ要求により、変換を行ったＩＤ一覧を通知案内サーバ４に送信する機能を持つ。
【００６０】
通信部５５は、ネットワークを通じて通信を行う機能を持つ。
【００６１】
以降、各構成要素の動作を処理シーケンスとともに説明する。
【００６２】
なお、通知案内システムの事前処理として、案内希望者情報保有サーバ３は、案内希望者情報取得部３７１により、案内希望者情報を管理端末１２からの要求により登録し、また、案内対象抽出許可情報取得部３７２により、案内対象抽出許可情報を案内希望者端末１１からの要求により登録しているものとする。
【００６３】
図１７、図１８は、通知案内システムの処理シーケンスである。
【００６４】
通知案内サーバ４は、案内条件／案内先付加情報要求部４６１により、観光体験案内提供サーバ２に案内条件および案内先付加情報を要求する（ステップＳ１０１）。観光体験案内提供サーバ２は、基準情報／案内先付加情報送信部２３３により、案内条件および案内先付加情報を通知案内サーバ４に送信する（ステップＳ１０２）。通知案内サーバ４は、案内条件／案内先付加情報要求部４６１により、観光体験案内提供サーバ２のサーバＩＤを付与して、取得した案内条件を案内条件テーブル４１に、案内先付加情報を案内先付加情報テーブル４２にそれぞれ登録する（ステップＳ１０３）。また、通知案内サーバ４は、取得した情報が最新の場合は、登録済みの情報の更新を行う。
【００６５】
案内希望者情報保有サーバ３は、案内条件／案内先付加情報要求部３７３により、定期的なタイミングで、観光体験案内提供サーバ２に案内条件および案内先付加情報を要求する（ステップＳ１０４）。観光体験案内提供サーバ２は、案内条件／案内先付加情報送信部２３３により、案内条件および案内先付加情報を案内希望者情報保有サーバ３に送信する（ステップＳ１０５）。案内希望者情報保有サーバ３は、案内条件／案内先付加情報要求部３７３により、観光体験案内提供サーバ２のサーバＩＤを付与して、取得した案内条件を案内条件テーブル３３に、案内先付加情報を案内先付加情報テーブル３４にそれぞれ登録する。また、案内希望者情報保有サーバ３は、取得した情報が最新の場合は、登録済みの情報の更新を行う。
【００６６】
通知案内サーバ４は、通知案内対象情報一覧要求部４６２により、案内希望者情報保有サーバ３に対し、観光体験案内情報の通知案内対象条件に一致する通知案内対象条件一致案内希望者情報一覧の抽出処理を要求する（ステップＳ１０６）。
【００６７】
案内希望者情報保有サーバ３は、通知案内対象情報抽出部３７４により、通知案内サーバ４の要求に応じて、通知案内対象に一致する案内希望者情報抽出のため、案内希望者情報テーブル３１、案内対象抽出許可情報テーブル３２、案内条件テーブル３３、外出情報テーブル３５を検索する（ステップＳ１０７）。具体的には、まず、通知案内対象情報抽出部３７４は、対象とする観光案内内容の条件に一致するか、案内対象抽出許可情報テーブル３２の処理許可フラグ「有」の属性項目と、案内希望者情報テーブル３１と案内条件テーブル３３に一致する属性項目を比較参照する。通知案内対象情報抽出部３７４は、案内希望者情報テーブル３１の案内ＩＤおよび案内区分を元に、各案内希望者の性別、年齢などの属性情報と、案内条件テーブル３３の案内希望ＩＤ、対象範囲（年齢）を比較参照し、一致しているかを判定する。さらに、通知案内対象情報抽出部３７４は、外出情報テーブル３５を参照し、案内希望者の外出期間中の外出先と案内条件テーブル３３の案内先所在地とが一致するかを判定する。この時、案内希望者情報保有サーバ３は、案内対象抽出許可情報テーブル３２の処理許可フラグが「無」（許可しない）となる案内希望者については、検索対象から除外する。これにより、属性項目の公開を許可し、かつ、条件に一致している案内希望者のＩＤのみが抽出され案内希望者の属性値そのものは抽出されない。また、通知案内サーバ４は、案内希望者情報保有サーバ３がどのような属性項目を蓄積しているかを管理する必要がない。
【００６８】
案内希望者情報保有サーバ３は、通知案内対象情報抽出部３７４により、通知案内対象に一致した案内希望者の属性項目（氏名、性別、年齢、住所、案内ＩＤ１、案内ＩＤ２、案内ＩＤ３、案内ＩＤ４）と、観光体験案内提供サーバ２から取得した案内先付加情報テーブル３４により、属性項目のうち、案内対象抽出処理の許可フラグが有効な属性情報と案内条件の内容が一致する情報を抽出して対象区分変換テーブル３６に登録する（ステップＳ１０８）。具体的には、通知案内対象情報抽出部３７４は、案内希望者情報テーブル３１の案内ＩＤと案内条件テーブル３３の案内希望ＩＤとが一致し、案内希望者情報テーブル３１の属性情報（例えば年齢）が案内条件テーブル３３の対象範囲に含まれ、外出情報テーブル３５の外出先と案内条件テーブル３３の案内先所在地とが一致する場合、案内希望者の案内希望者ＩＤ、案内先ＩＤ、実施可否情報（可（実施可））を対象区分変換テーブル３６に登録する。これにより、案内希望者の状況に最適な通知案内情報を選定することができる。
【００６９】
案内希望者情報保有サーバ３は、ＩＤ変換要求部３７５により、ＩＤ変換サーバ５に対し、変換前ＩＤの一覧を送信し、ＩＤ変換を要求する（ステップＳ１０９）。
【００７０】
ＩＤ変換サーバ５は、ＩＤ変換要求受付部６４１により、案内希望者情報保有サーバ３からの要求に応じて、ＩＤ変換受付ＩＤを払い出し、案内希望者情報保有サーバ３に送信する（ステップＳ１１０）。また、ＩＤ変換サーバ５は、ＩＤ変換受付テーブル５１にＩＤ変換受付ＩＤ、案内希望者情報保有サーバ３のサーバＩＤ、変換前ＩＤの一覧を登録する。
【００７１】
案内希望者情報保有サーバ３は、通知案内対象条件一致案内希望者一覧送信部３７６により、通知案内サーバ４に、ＩＤ変換受付ＩＤと、通知案内希望対象情報一覧の抽出処理結果（ＩＤ変換受付ＩＤ、案内希望者ＩＤ、サービスＩＤ、実施可否）を送信する（ステップＳ１１１）。
【００７２】
通知案内サーバ４は、変換後ＩＤ要求部４６３により、案内希望者情報保有サーバ３から、ＩＤ変換受付ＩＤと、通知案内対象条件の一致する案内希望得者情報一覧を受取り、通知案内対象条件一覧ファイルに保管し、さらに、ＩＤ変換サーバ５に対し、案内希望者情報保有サーバ３から受信したＩＤ変換受付ＩＤを送信し、変換後ＩＤを要求する（ステップＳ１１２）。
【００７３】
ＩＤ変換サーバ５は、ＩＤ変換部６４２により、通知案内サーバ４からの要求に応じて、受信したＩＤ変換受付ＩＤからＩＤ変換受付テーブル５１を参照し、変換前ＩＤと案内希望者情報保有サーバ３のサーバＩＤを取得する。また、ＩＤ変換部６４２は、ＩＤ変換テーブル５２とサーバＩＤ対応テーブル５３を参照し、変換前ＩＤに対応する通知案内サーバ４が管理する案内希望者ＩＤに変換する（ステップＳ１１３）。
【００７４】
ＩＤ変換サーバ５は、変換後ＩＤ一覧送信部６４３により、得られた変換後ＩＤの一覧を通知案内サーバ４に送信する（ステップＳ１１４）。
【００７５】
通知案内サーバ４は、変換後ＩＤ要求部４６３により、案内希望者情報保有サーバ３から取得した通知案内希望対象情報一覧（通知案内条件対象者一覧ファイル４３）を基に、通知案内情報テーブル４５に、案内希望者ＩＤ、観光体験案内提供サーバ２のサーバＩＤ、案内先ＩＤ、日時、通知状況、実施通知フラグを登録する（ステップＳ１１５）。
【００７６】
通知案内サーバ４は、通知案内情報生成部４６４により、通知案内対象者情報テーブル４４に登録している案内希望者の通知案内用メールアドレスを取得する。また、通知案内情報テーブル４５に登録した観光体験案内提供サーバ２のサーバＩＤおよび、案内先ＩＤ、日時、通知状況、実施通知フラグより、案内条件テーブル４１を検索し、観光体験の案内条件および案内先付加情報を取得し、少なくとも案内先付加情報の一部を含む観光体験通知案内メッセージを生成する（ステップＳ１１６）。
【００７７】
通知案内サーバ４は、通知案内情報送信部４６５により、観光体験通知案内メッセージを、通知案内用メールアドレスへメール等で送信する（ステップＳ１１７）。
【００７８】
案内希望者端末１１は、観光体験通知案内メッセージを受信し、案内希望者に対してメッセージを表示する。これにより、観光体験に関する通知案内を行うことが可能となる（ステップＳ１１８）。
【００７９】
案内希望者端末１１は、受け取った通知案内情報に対して、当該案内情報に対して、再通知が不要の場合、通知案内サーバ４に対して、再通知案内不要のメッセージを返信する（ステップＳ１１９）。
【００８０】
通知案内サーバ４では、通知案内返信受取部５６６により、案内希望者端末１１から、当該案内情報に対する再通知不要のメッセージを受取った場合、通知案内情報テーブル４５の実施通知フラグを「要」から「不要」に書き換える（ステップＳ１２０）。
【００８１】
このように、本実施形態によれば、通知案内サーバ４は、案内希望者情報保有サーバ３に通知案内の送信対象となる案内希望者を含む通知案内対象情報一覧を要求し、案内希望者情報保有サーバ３は、案内条件、案内先付加情報及び外出情報の条件を満たす案内希望者を含む通知案内対象情報一覧を通知案内サーバ４に送信し、通知案内サーバ４は、通知案内対象情報一覧に含まれる案内希望者に通知案内を送信する。これにより、案内希望者の情報を一元管理することなく、案内希望者情報に対して外出予定を考慮した通知案内を送信することが可能となる。すなわち、案内希望者情報保有サーバ３が抽出した観光体験の実施場所と、案内希望者が開示を許諾する案内希望者自身の外出情報のマッチングを行い、観光体験が可能な複数の場所を案内することで、案内希望者の行動に適切に対応することができる。また、案内希望者情報保有サーバ３が通知案内の対象者を抽出し、通知案内サーバ４が観光体験の案内を促すことで、案内希望者の事前確認漏れによる不要な時間を費やすことや提供漏れのリスクを抑えることができる。さらに、通知案内サーバ４が取得する内容は各種システムが保有する案内希望者情報そのものではないため、個人情報の漏えいリスクを抑えることができる。
【００８２】
また、通知案内サーバ４は、ＩＤ変換サーバ５により、通知案内対象情報一覧に含まれる案内希望者のＩＤを自サーバにおけるＩＤに変換する。特に、案内希望者情報保有サーバ３は、案内条件、案内先付加情報及び外出情報の条件を満たす案内希望者のＩＤをＩＤ変換サーバ５に送信し、ＩＤ変換サーバ５は、案内希望者情報保有サーバ３に対してＩＤ変換受付ＩＤを送信し、案内希望者情報保有サーバ３は、通知案内対象情報一覧を通知案内サーバ４に送信する際、ＩＤ変換受付ＩＤを通知案内サーバ４に送信し、通知案内サーバ４は、ＩＤ変換サーバ５にＩＤ変換受付ＩＤを送信することにより、通知案内対象情報一覧に含まれる案内希望者のＩＤを自サーバにおけるＩＤに変換する。これにより、案内希望者に関する情報を案内希望者情報保有サーバ３及び通知案内サーバ４それぞれで異なるＩＤで管理することが可能になり、情報を一元管理することなく、案内希望者に対して観光体験に関する通知案内を送信することが可能となる。また、個人情報の漏えいリスクをさらに抑えることが可能になる。
【００８３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップなどに含まれる機能などは論理的に矛盾しないように再配置可能であり、複数の手段やステップなどを１つに組み合わせたり、或いは分割したりすることが可能である。
【符号の説明】
【００８４】
１１  案内希望者端末
１２  管理端末
２  観光体験案内提供サーバ
２１  案内条件テーブル
２２  案内先付加情報テーブル
２３  制御部
２３１  案内条件／案内先付加情報要求部
２３２  案内条件／案内先付加情報抽出部
２３３  案内条件／案内先付加情報送信部
２４  通信部
３  案内希望者情報保有サーバ
３１  案内希望者情報テーブル
３２  案内対象抽出許可情報テーブル
３３  案内条件テーブル
３４  案内先付加情報テーブル
３５  外出情報テーブル
３６  対象区分変換テーブル
３７  制御部
３７１  案内希望者情報取得部
３７２  案内対象抽出許可情報取得部
３７３  案内条件／案内先付加情報要求部
３７４  通知案内対象情報抽出部
３７５  ＩＤ変換要求部
３７６  通知案内対象条件一致案内希望者一覧送信部
３８  通信部
４  通知案内サーバ
４１  案内条件テーブル
４２  案内先付加情報テーブル
４３  通知案内条件対象者一覧ファイル
４４  通知案内対象者情報テーブル
４５  通知案内情報テーブル
４６  制御部
４６１  案内条件／案内先付加情報要求部
４６２  通知案内対象情報一覧要求部
４６３  変換後ＩＤ要求部
４６４  通知案内情報生成部
４６５  通知案内情報送信部
４６６  通知案内返信受取部
４７  通信部
５  ＩＤ変換サーバ
５１  ＩＤ変換受付テーブル
５２  ＩＤ変換テーブル
５３  サーバＩＤ対応テーブル
５４  制御部
５４１  ＩＤ変換要求受付部
５４２  ＩＤ変換部
５４３  変換後ＩＤ一覧送信部
５５  通信部
【図１】
2014134952.tif 000003
【図２】
2014134952.tif 000004
【図３】
2014134952.tif 000005
【図４】
2014134952.tif 000006
【図５】
2014134952.tif 000007
【図６】
2014134952.tif 000008
【図７】
2014134952.tif 000009
【図８】
2014134952.tif 000010
【図９】
2014134952.tif 000011
【図１０】
2014134952.tif 000012
【図１１】
2014134952.tif 000013
【図１２】
2014134952.tif 000014
【図１３】
2014134952.tif 000015
【図１４】
2014134952.tif 000016
【図１５】
2014134952.tif 000017
【図１６】
2014134952.tif 000018
【図１７】
2014134952.tif 000019
【図１８】
2014134952.tif 000020